(57)【要約】【課題】コンベヤ装置の始終端間に形成したシャッター昇降空間部分に渡り手段を設けた搬送設備であって、簡単な構成でありながら、係止解除は摩擦抵抗を小さくして常に円滑に行える搬送設備を提供する。【解決手段】渡り手段３１は、一方のコンベヤ装置１１側にそれぞれ搬送経路１０の方向に対して直交状の横軸３５，４２を介して上下揺動自在に設けたブラケット３６とアーム体４３を有する。ブラケットには、遊端側に渡りローラ３９を、基端側に逆Ｌ字状の被係止部４０を形成した。アーム体には、シャッター６の下面６ａが当接自在な被検知部４５と、被係止部に係止可能でかつ横方向軸心４９の周りに遊転自在な係止部４８を設けた。被検知部が検知位置に上動しかつコンベヤ装置の始終端間に渡りローラを位置させた状態で、アーム体を支持する横軸の下方部分で被係止部に係止部が係止するように構成した。被係止部に対する係止が外れる際に係止部は、被係止部との間に生じる摩擦によって横方向軸心の周りに自動的に遊転し、係止解除は摩擦抵抗を小さくして常に円滑に行える。【選択図】図１
2005145704.tif 000002
【特許請求の範囲】
【請求項１】
コンベヤ装置の始終端間に形成されたシャッター昇降空間部分に渡り手段が設けられた搬送設備であって、前記渡り手段は、一方のコンベヤ装置側にそれぞれ搬送経路の方向に対して直交状の横軸を介して上下揺動自在に設けられたブラケットとアーム体とを有し、前記ブラケットには、遊端側に渡りローラが設けられるとともに、基端側に下方と基端側とが開放された逆Ｌ字状の被係止部が形成され、前記アーム体には、シャッターの下面が当接自在な被検知部と、前記被係止部に係止可能でかつ前記横軸に沿った横方向軸心の周りに遊転自在な係止部とが設けられ、前記被検知部が検知位置に上動されかつコンベヤ装置の始終端間に渡りローラが位置された状態で、前記アーム体を支持する横軸の下方部分で被係止部に係止部が係止されるように構成したことを特徴とする搬送設備。
【請求項２】
係止部はベアリングからなり、着脱連結具を介してアーム体に遊転自在に連結されていることを特徴とする請求項１記載の搬送設備。
【請求項３】
アーム体を支持する横軸の真下状部分で被係止部に係止部が係止されるように構成したことを特徴とする請求項１または２記載の搬送設備。
【請求項４】
アーム体はＬ字型でコーナー部分を介して横軸に取り付けられ、前記アーム体の一方遊端に係止部が設けられるとともに、他方遊端にウエイト部材が設けられ、前記アーム体のコーナー部分に被検知部の基端が連結されて、アーム体と被検知部とがＹ字状に配置されていることを特徴とする請求項１〜３のいずれか１項に記載の搬送設備。
【発明の詳細な説明】
【技術分野】
【０００１】
本発明は、たとえば室間に亘って被搬送物の搬送を行う搬送設備に関するものである。
【背景技術】
【０００２】
従来、この種の設備としては次のような構成が提供されている。すなわち、一対のローラコンベヤが、その始終端間に間隔を置いて直線状に配設され、この間隔の部分に防火シャッタが下降自在に構成されている。一方のローラコンベヤ側には中継部材が設けられ、この中継部材は、ローラコンベヤのサイドフレームに取り付けられた左右一対のアームと、これらアーム間に支持軸を介して回転可能に支持され中継ローラとからなり、受け渡し位置と退避位置との間で回動可能に構成されている。
【０００３】
そして通常時において中継部材は、サイドフレーム側に取り付けられているボルトの半球状頭部と、アームに固着されたアングル部材との係合によって、受け渡し位置にて保持される。ボルトは、サイドフレームに支持された揺動プレートの一端に取り付けられており、揺動プレートの他端にはレバーが取り付けられ、このレバーの先端は中継ローラの上方まで延びている。
【０００４】
このような従来構成によると、火災が発生して防火シャッタが降下してくると、防火シャッタの下端がレバーの先端に当たって押し下げ、揺動プレートを介してボルトが回動して、その頭部がアングル部材から外れて係合が解除され、以て中継部材が退避位置に回動されることになる（たとえば、特許文献１参照。）。
【特許文献１】特開平７−１７２５７０号公報（第２頁、第４図）
【発明の開示】
【発明が解決しようとする課題】
【０００５】
しかし、上記した従来構成によると、ボルトの半球状頭部とアングル部材との係合形式であることから、係合解除時には摩擦抵抗が生じ、以て係合解除に大きな力（揺動プレート側の回動力）が必要であった。そして、係合解除を小さな力によって円滑に行わせるためには、ボルトとアングル部材との相対的な配設位置を精度良く行う必要があった。また、ボルトを取り付けるためにサイドフレーム側にねじ孔を形成しなければならず、場合によっては、ボルトの緩み止めなどの溶接を行わなければならず、全体の製作が面倒であった。
【０００６】
そこで本発明の請求項１記載の発明は、簡単な構成でありながら、解除は摩擦抵抗を小さくして常に円滑に行える搬送設備を提供することを目的としたものである。
【課題を解決するための手段】
【０００７】
前述した目的を達成するために、本発明の請求項１記載の搬送設備は、コンベヤ装置の始終端間に形成されたシャッター昇降空間部分に渡り手段が設けられた搬送設備であって、前記渡り手段は、一方のコンベヤ装置側にそれぞれ搬送経路の方向に対して直交状の横軸を介して上下揺動自在に設けられたブラケットとアーム体とを有し、前記ブラケットには、遊端側に渡りローラが設けられるとともに、基端側に下方と基端側とが開放された逆Ｌ字状の被係止部が形成され、前記アーム体には、シャッターの下面が当接自在な被検知部と、前記被係止部に係止可能でかつ前記横軸に沿った横方向軸心の周りに遊転自在な係止部とが設けられ、前記被検知部が検知位置に上動されかつコンベヤ装置の始終端間に渡りローラが位置された状態で、前記アーム体を支持する横軸の下方部分で被係止部に係止部が係止されるように構成したことを特徴としたものである。
【０００８】
したがって請求項１の発明によると、シャッターが上昇している通常の状態では、ブラケットは横軸を介して上方へ揺動して、その渡りローラを両コンベヤ装置における搬送面と同様のレベルに位置させている。またアーム体は横軸を介して揺動して、係止部を横軸の下方に位置させるとともに、被検知部をシャッター昇降空間内でかつ渡りローラよりも上方の検知位置に位置させている。このような通常の状態では、両コンベヤ装置をそれぞれの駆動装置によって駆動させることで、片側のコンベヤ装置により搬送してきた被搬送物を、その終端から渡りローラを介して他側のコンベヤ装置の始端に移し、そして他側のコンベヤ装置により搬送し得る。このとき渡りローラは、遊転しながら被搬送物を支持案内し、その際に渡りローラに掛かる荷重によって、ブラケットを横軸の周りに下方揺動させようとするが、横軸の下方で被係止部に係止部を係止させていることで、アーム体により下方揺動を阻止することになる。
【０００９】
たとえば、火災などの異常時に、自動的または人手操作によりシャッターがシャッター昇降空間内を下降したとき、このシャッターの下面が被検知部に当接し、そして被検知部を横軸の周りに下方揺動させる。すると、被検知部とともにアーム体も横軸の周りに揺動（回動）することになり、以て横軸の下方に位置していた係止部を、横軸の周りで内方かつ上方へと移動させる。このように係止部が移動することで、被係止部に対する係止が外れる（解除させる）ことになるが、その際に係止部は、被係止部との間に生じる摩擦によって横方向軸心の周りに自動的に遊転することになる。
【００１０】
そして、係止部が被係止部から外れることで、渡りローラの自重などによってブラケットを、横軸の周りに下方へ自動的に揺動させ、これにより、渡りローラをシャッター昇降空間内から退避させ得る。さらに被検知部を、自重などによってアーム体とともに横軸の周りに下方へ自動的に揺動させて、シャッター昇降空間内から退避させ得る。このように渡りローラや被検知部をシャッター昇降空間内から退避させることで、シャッターの下降は何ら支障なく確実に行える。なお、通常の状態への復帰は、シャッターを上昇させたのち、手動操作により、ブラケットを横軸の周りに上方へ揺動させるとともに、被検知部を横軸の周りに下方揺動させて、被係止部に係止部を係止させることで行える。
【００１１】
また本発明の請求項２記載の搬送設備は、上記した請求項１記載の構成において、係止部はベアリングからなり、着脱連結具を介してアーム体に遊転自在に連結されていることを特徴としたものである。
【００１２】
したがって請求項２の発明によると、両アーム体に貫通孔を形成し、この貫通孔に通した着脱連結具を介してベアリングを連結することで、ベアリングをアーム体に対して横方向軸心の周りに遊転自在に連結し得る。
【００１３】
そして本発明の請求項３記載の搬送設備は、上記した請求項１または２記載の構成において、アーム体を支持する横軸の真下状部分で被係止部に係止部が係止されるように構成したことを特徴としたものである。
【００１４】
したがって請求項３の発明によると、シャッターが上昇している通常の状態では、係止部を横軸の真下状部分に位置させて被係止部に係止させている。
さらに本発明の請求項４記載の搬送設備は、上記した請求項１〜３のいずれか１項に記載の構成において、アーム体はＬ字型でコーナー部分を介して横軸に取り付けられ、前記アーム体の一方遊端に係止部が設けられるとともに、他方遊端にウエイト部材が設けられ、前記アーム体のコーナー部分に被検知部の基端が連結されて、アーム体と被検知部とがＹ字状に配置されていることを特徴としたものである。
【００１５】
したがって請求項４の発明によると、シャッターが上昇している通常の状態では、係止部を横軸の下方に位置させて被係止部に係止させており、このときウエイト部材は、被係止部に係止部を係止させる方向に作用している。また、係止部が被係止部から外れ、被検知部を、アーム体とともに横軸の周りに下方へ自動的に揺動させて、シャッター昇降空間内から退避させるとき、ウエイト部材は、アーム体の横軸の周りでのモーメントのバランスを取るように作用している。
【発明の効果】
【００１６】
上記した本発明の請求項１によると、シャッターが上昇している通常の状態では、片側のコンベヤ装置により搬送してきた被搬送物を、その終端から渡りローラを介して他側のコンベヤ装置の始端に移し、そして他側のコンベヤ装置により搬送できる。このとき渡りローラは遊転しながら被搬送物を支持案内し、その際に渡りローラに掛かる荷重によって、ブラケットを横軸の周りに下方揺動させようとするが、横軸の下方で被係止部に係止部を係止させていることで、アーム体により下方揺動を阻止することができ、したがって、渡りローラによる被搬送物の支持案内は、何ら支障なく常に円滑に行うことができる。
【００１７】
たとえば、火災などの異常時にシャッターがシャッター昇降空間内を下降したとき、このシャッターの下面が被検知部に当接し、そして被検知部とともにアーム体を横軸の周りに揺動（回動）させることになり、以て横軸の下方に位置していた係止部を、横軸の周りで内方かつ上方へと移動させる。このように係止部が移動することで、被係止部に対する係止が外れる（解除させる）ことになるが、その際に係止部は、被係止部との間に生じる摩擦によって横方向軸心の周りに自動的に遊転することになり、以て遊転可能な係止部を組み込んだ簡単な構成でありながら、係止の解除は摩擦抵抗を小さくして常に円滑に行うことができる。
【００１８】
また上記した本発明の請求項２によると、両アーム体に貫通孔を形成し、この貫通孔に通した着脱連結具を介してベアリングを連結することで、アーム体に対してベアリングを、横方向軸心の周りに遊転自在として容易に連結でき、さらにベアリングによって係止解除の際の遊転は常に円滑に行うことができる。
【００１９】
そして上記した本発明の請求項３によると、シャッターが上昇している通常の状態では、係止部を横軸の真下状部分に位置させて被係止部に対して好適に係止できる。
さらに上記した本発明の請求項４によると、係止部を横軸の下方に位置させて被係止部に係止させたとき、ウエイト部材は、被係止部に係止部を係止させる方向に作用して、その係止を好適に維持できる。また、係止部が被係止部から外れ、被検知部を、アーム体とともに横軸の周りに下方へ自動的に揺動させて、シャッター昇降空間内から退避させるとき、ウエイト部材は、アーム体の横軸の周りでのモーメントのバランスを取るように作用し、以て被検知部とアーム体との一体揺動を円滑に行うことができる。
【発明を実施するための最良の形態】
【００２０】
［実施の形態１］
以下に、本発明の実施の形態１を、図１〜図５に基づいて説明する。
第１室１と第２室２とが、壁３の部分を挟んで区画形成されている。前記第１室１には第１コンベヤ装置１１が配設され、第２室２には第２コンベヤ装置２１が配設されている。両コンベヤ装置１１，２１はローラコンベヤ形式であって、連続状に配設されることで直線状の搬送経路１０が形成されている。その際に両コンベヤ装置１１，２１は、壁３の部分を挟んで、その始終端間に所定間隔Ｌのシャッター昇降空間５が形成されるように配設されている。そしてシャッター昇降空間５の部分には、壁３側に支持案内されて昇降自在なシャッター６が設けられている。
【００２１】
両コンベヤ装置１１，２１は同様な構成であって、そのコンベヤ本体１２，２２は、左右一対のコンベヤフレーム１３，２３と、左右のコンベヤフレーム１３，２３の下面間で搬送経路１０の方向（前後方向）の複数箇所に設けられた左右方向の連結フレーム１４，２４などからなり、コンベヤフレーム１３，２３と連結フレーム１４，２４とはボルト・ナット１５，２５を介して連結されている。左右のコンベヤフレーム１３，２３間にはローラ１６，２６群が回転自在に支持され、これらローラ１６，２６群に下方から当接される無端ベルト１７，２７が案内輪体１８，２８などを介して張設されている。
【００２２】
そして始終端のローラ１６，２６と、これに隣接されたローラ１６，２６とは伝動ベルト１９，２９により連動連結されている。なお無端ベルト１７，２７は、駆動装置（図示せず。）の駆動輪体に巻回されている。以上の１２〜１９などにより第１コンベヤ装置１１の一例が構成され、また２２〜２９などにより第２コンベヤ装置２１の一例が構成される。
【００２３】
前記シャッター昇降空間５の部分に渡り手段３１が設けられている。この渡り手段３１は、第１コンベヤ装置（一方のコンベヤ装置）１１側にそれぞれ搬送経路１０の方向に対して直交状の横軸３５，４２を介して上下揺動自在に設けられたブラケット３６とアーム体４３とを有している。すなわち第１コンベヤ装置１１の終端部における連結フレーム１４には、その両端面に下部が当接されのち溶接結合されることで、矩形状の連結用板体３２が立設状に設けられている。そして両連結用板体３２の上部で外面には、それぞれ矩形状の支持用板体３３が連結具３４を介して固定されている。
【００２４】
両支持用板体３３の下部で終端から少し内寄りの位置に、それぞれ前記横軸３５を介してブラケット３６が上下揺動自在に設けられている。これらブラケット３６は、長方板状であって、その上位基端側のコーナー部分に筒体３７が固定され、この筒体３７を介して横軸３５に外嵌されている。そして両ブラケット３６における上位遊端間には、ローラ軸３８を介して渡りローラ３９が遊転自在に設けられている。また両ブラケット３６における下位基端側のコーナー部分には、下方と基端側とが開放された逆Ｌ字状の被係止部４０、すなわち下向きの係止面４０ａと横向きの規制面４０ｂとからなる被係止部４０が切り欠き状に形成されている。なお、両ブラケット３６における下位遊端間には、補強用の連結部材４１が設けられている。
【００２５】
両支持用板体３３の上部で終端寄りの位置に、それぞれ前記横軸４２を介してアーム体４３が上下揺動自在に設けられている。これらアーム体４３はＬ字型であって、そのコーナー部分に筒体４４が固定され、この筒体４４を介して横軸４２に外嵌されている。両アーム体４３にはそれぞれ、シャッター６の下面６ａが当接自在な被検知部４５と、前記被係止部４０に係止可能でかつ前記横軸４２に沿った横方向軸心の周りに遊転自在な係止部とが設けられている。
【００２６】
すなわち、前記アーム体４３のコーナー部分の外面に被検知部４５の基端が溶接により連結され、以てアーム体４３と被検知部４５とはＹ字状に配置される。なお被検知部４５はロッド状であって、その遊端は曲げられた被当接部４５ａに形成されている。Ｌ字型の両アーム体４３における一方の遊端には、それぞれ貫通孔４６が形成されている。そして、貫通孔４６に通されるボルト・ナット（着脱連結具の一例）４７を介してベアリング（係止部の一例）４８が連結され、以てベアリング４８はアーム体４３に対して、ボルト軸心である横方向軸心４９の周りに遊転自在に連結されている。またＬ字型の両アーム体４３における他方の遊端側には、その外側面にウエイト部材５０が設けられている。
【００２７】
ここで、前記被検知部４５が検知位置に上動されかつ両コンベヤ装置１１，２１の始終端間に渡りローラ３９が位置された状態で、前記アーム体４３を支持する横軸４２の真下状部分（下方部分）で被係止部４０にベアリング４８が係止されるように構成されている。以上の３２〜５０などにより渡り手段３１の一例が構成される。
【００２８】
以下に、上記した実施の形態１における作用を説明する。
シャッター６が上昇している通常の状態では、図１〜図４に示すように、ブラケット３６は横軸３５を介して上方へ揺動して、その渡りローラ３９を両コンベヤ装置１１，２１における始終端のローラ１６，２６と同様のレベルに位置させている。またアーム体４３は、ベアリング４８を横軸４２の真下状部分に位置させるとともに、被検知部４５の被当接部４５ａをシャッター昇降空間５内でかつ渡りローラ３９よりも上方に位置させて、横軸４２を介して揺動している。
【００２９】
すなわち、前記被検知部４５を検知位置に上動させかつ両コンベヤ装置１１，２１の始終端間に渡りローラ３９を位置させている。このときベアリング４８は、下向きの係止面４０ａに下方から当接するとともに横向きの規制面４０ｂに当接しており、以て前記アーム体４３を支持する横軸４２の真下状部分で被係止部４０にベアリング４８を係止させている。なおウエイト部材５０は、被係止部４０にベアリング４８を係止させる方向に作用している。
【００３０】
このような通常の状態では、それぞれの駆動装置によって無端ベルト１７，２７を回動させてローラ１６，２６群を駆動回転させるとともに、伝動ベルト１９，２９を介して始終端のローラ１６，２６を連動回転させることで、両コンベヤ装置１１，２１を駆動状とし得る。したがって、第１コンベヤ装置１１により搬送してきた被搬送物を、この第１コンベヤ装置１１の終端から渡りローラ３９を介して第２コンベヤ装置２１の始端に移し、そして第２コンベヤ装置２１により搬送し得る。これにより被搬送物を搬送経路１０で搬送して、第１室１から第２室２へと移し得る。
【００３１】
このとき渡りローラ３９は、ローラ軸３８の周りに遊転しながら被搬送物を支持案内する。その際に渡りローラ３９に掛かる荷重によって、ブラケット３６を横軸３５の周りに下方揺動させようとするが、上述したように横軸４２の真下状部分で被係止部４０にベアリング４８を係止させていることで、アーム体４３により下方揺動を阻止することになる。したがって、渡りローラ３９による被搬送物の支持案内は、何ら支障なく常に円滑に行える。
【００３２】
たとえば、火災などの異常時に、自動的または人手操作によりシャッター６がシャッター昇降空間５内を下降したとき、まず図１の仮想線に示すように、このシャッター６の下面６ａが被検知部４５の被当接部４５ａに当接し、そして被検知部４５を横軸４２の周りに下方揺動させる。すると、被検知部４５と一体のアーム体４３も横軸４２の周りに揺動（回動）することになり、以て横軸４２の真下状部分に位置していたベアリング４８を、横軸４２の周りで内方（搬送方向とは逆方向）かつ上方へと移動させる。
【００３３】
このようにベアリング４８が移動することで、被係止部４０に対する係止が外れる（解除させる）ことになるが、その際にベアリング４８は、係止面４０ａとの間に生じる摩擦によって横方向軸心４９の周りに自動的に遊転することになる。すなわち、ベアリング４８は係止面４０ａ上で転動することになり、以て遊転可能なベアリング４８を組み込んだ簡単な構成でありながら、係止の解除は摩擦抵抗を小さくして常に円滑に行えることになる。
【００３４】
そして、ベアリング４８が被係止部４０から外れることで、渡りローラ３９の自重などによってブラケット３６を、横軸３５の周りに下方へ自動的に揺動させる。これにより図５に示すように、渡りローラ３９をシャッター昇降空間５内から退避させて第１コンベヤ装置１１の始端下方に位置し得る。さらに被検知部４５を、自重などによってアーム体４３とともに横軸４２の周りに下方へ自動的に揺動させて、その被当接部４５ａをシャッター昇降空間５内から退避させて第１コンベヤ装置１１の始端側方に位置し得る。このときウエイト部材５０は、アーム体４３の横軸４２の周りでのモーメントのバランスを取るように作用し、以て被検知部４５とアーム体４３との一体揺動は円滑に行われる。
【００３５】
このように渡りローラ３９や被検知部４５をシャッター昇降空間５内から退避させることで、シャッター６のシャッター昇降空間５内での下降は何ら支障なく確実に行え、以て第１室１と第２室２との連通部を遮断し得る。なお、通常の状態への復帰は、シャッター６を上昇させたのち、手動操作により、ブラケット３６を横軸３５の周りに上方へ揺動させるとともに、被検知部４５を横軸４２の周りに下方揺動させて、被係止部４０にベアリング４８を係止させることで行える。
［実施の形態２］
次に、本発明の実施の形態２を図６に基づいて説明する。
【００３６】
貫通孔４６に通されるボルト・ナット（着脱連結具の一例）４７を介して筒状体（係止部の一例）５１が連結され、以て筒状体５１はアーム体４３に対して、ボルト軸心である横方向軸心４９の周りに遊転自在に連結されている。
【００３７】
この実施の形態２によると、筒状体５１は、係止面４０ａとの間に生じる摩擦によって横方向軸心４９の周りに自動的に遊転することになる。すなわち、筒状体５１は係止面４０ａ上で転動することになり、以て遊転可能な筒状体５１を組み込んだ安価でかつ簡単な構成でありながら、係止の解除は摩擦抵抗を小さくして常に円滑に行えることになる。
【００３８】
上記した実施の形態１，２では、コンベヤ装置１１，２１としてローラコンベヤ形式が示されているが、これは片側または両方がベルトコンベヤ形式などであってもよい。
上記した実施の形態１では、第１室１と第２室２との連通部にシャッター６を設けた形式が示されているが、これは室外と室との間にシャッターを設けた形式などであってもよい。
【００３９】
上記した実施の形態１，２では、アーム体４３のコーナー部分の外面に被検知部４５の基端が溶接により連結された形式が示されているが、これはアーム体４３と被検知部４５とを一体に形成した形式などであってもよい。
【００４０】
上記した実施の形態１では係止部としてベアリング４８を、実施の形態２では係止部として筒状体５１を使用した形式が示されているが、これは係止部として球体（ボール）を使用し、この球体に貫通孔を形成してボルト・ナット（着脱連結具の一例）４７を介して遊転自在に取り付けた形式などであってもよい。
【００４１】
上記した実施の形態１では、アーム体４３を支持する横軸４２の真下状部分で被係止部４０にベアリング４８を係止させた形式が示されているが、これは真下状部分ではなく下方の前後に変位した部分で係止させた形式などであってもよい。
【００４２】
上記した実施の形態１では、アーム体４３における他方の遊端側の外側面にウエイト部材５０が設けられた形式が示されているが、これはウエイト部材が省略された形式などであってもよい。
【図面の簡単な説明】
【００４３】
【図１】本発明の実施の形態１を示し、搬送設備における通常状態での要部の側面図である。
【図２】同搬送設備における通常状態での概略側面図である。
【図３】同搬送設備における通常状態での要部の一部切り欠き平面図である。
【図４】同搬送設備における通常状態での要部の一部切り欠き背面図である。
【図５】同搬送設備におけるシャッター下降状態での要部の側面図である。
【図６】本発明の実施の形態２を示し、搬送設備における通常状態での要部の一部切り欠き背面図である。
【符号の説明】
【００４４】
１    第１室
２    第２室
５    シャッター昇降空間
６    シャッター
６ａ  下面
１０    搬送経路
１１    第１コンベヤ装置（一方のコンベヤ装置）
１２    コンベヤ本体
１６    ローラ
１７    無端ベルト
２１    第２コンベヤ装置
２２    コンベヤ本体
２６    ローラ
２７    無端ベルト
３１    渡り手段
３２    連結用板体
３３    支持用板体
３５    横軸
３６    ブラケット
３８    ローラ軸
３９    渡りローラ
４０    被係止部
４０ａ  係止面
４０ｂ  規制面
４２    横軸
４３    アーム体
４５    被検知部
４５ａ  被当接部
４６    貫通孔
４７    ボルト・ナット（着脱連結具）
４８    ベアリング（係止部）
４９    横方向軸心
５０    ウエイト部材
５１    筒状体（係止部）
Ｌ  所定間隔
【図１】
2005145704.tif 000003
【図２】
2005145704.tif 000004
【図３】
2005145704.tif 000005
【図４】
2005145704.tif 000006
【図５】
2005145704.tif 000007
【図６】
2005145704.tif 000008